(57)【要約】【課題】押しボタンの操作部の形状変更を低コストで行うことができる遊技機を提供する。【解決手段】押しボタン２７ａ〜２７ｃと、この押しボタン２７ａ〜２７ｃをその軸方向に移動可能に保持するボタンケース３３と、押しボタン２７ａ〜２７ｃをボタンケース３３に対して軸方向前側に付勢する付勢手段３４とを有し、押しボタン２７ａ〜２７ｃの軸方向前面側を遊技機本体１の前側に露出させるように遊技機本体１に装着される押しボタンユニット３１を備えた遊技機で、押しボタン２７ａ〜２７ｃの軸方向前側を略覆う前カバー３８を備え、この前カバー３８に、押しボタン２７ａ〜２７ｃの軸方向前面側の一部分に対応する所定形状の開口部７１ａ〜７１ｃを設けたものである。【選択図】図４
2010104836.tif 000002
【特許請求の範囲】
【請求項１】
押しボタン（２７ａ）〜（２７ｃ）と、該押しボタン（２７ａ）〜（２７ｃ）をその軸方向に移動可能に保持するボタンケース（３３）と、前記押しボタン（２７ａ）〜（２７ｃ）を前記ボタンケース（３３）に対して軸方向前側に付勢する付勢手段（３４）とを有し、前記押しボタン（２７ａ）〜（２７ｃ）の軸方向前面側を遊技機本体（１）の前側に露出させるように該遊技機本体（１）に装着される押しボタンユニット（３１）を備えた遊技機において、前記押しボタン（２７ａ）〜（２７ｃ）の軸方向前側を略覆う前カバー（３８）を備え、該前カバー（３８）に、前記押しボタン（２７ａ）〜（２７ｃ）の軸方向前面側の一部分に対応する所定形状の開口部（７１ａ）〜（７１ｃ）を設けたことを特徴とする遊技機。
【請求項２】
前記押しボタン（２７ａ）〜（２７ｃ）の軸方向前面側に、前記前カバー（３８）側の開口部（７１ａ）〜（７１ｃ）に対応する所定形状の突起部（５４）を設け、前記前カバー（３８）側の開口部（７１ａ）〜（７１ｃ）にこの突起部（５４）を後側から嵌合させたことを特徴とする請求項１に記載の遊技機。
【請求項３】
前記押しボタン（２７ａ）〜（２７ｃ）は、前記ボタンケース（３３）内に軸方向摺動自在に収容される胴体部（４１）と、この胴体部（４１）の前側に着脱自在に装着されるキャップ部（４２）とを備え、該キャップ部（４２）に前記突起部（５４）を設けたことを特徴とする請求項２に記載の遊技機。
【請求項４】
前記前カバー（３８）を前記遊技機本体（１）及び前記ボタンケース（３３）と別体に形成したことを特徴とする請求項１〜３の何れかに記載の遊技機。
【発明の詳細な説明】
【技術分野】
【０００１】
本発明は、スロットマシン等、押しボタンを供えた遊技機に関するものである。
【背景技術】
【０００２】
各種遊技機のうち、例えばスロットマシンには、ベットボタン、停止ボタン等、遊技者が押圧操作可能な押しボタンが搭載されている。
【０００３】
通常、これらの押しボタンは、これを軸方向移動可能に保持するボタンケース、押しボタンをその軸方向前側に付勢するコイルバネ等の付勢手段、押しボタンの前端側のみを前側に露出させてその周辺部分をカバーする前カバー等と共に１つの押しボタンユニットとして構成されており、このユニットの状態で遊技機本体に着脱自在に装着されている（特許文献１参照）。
【先行技術文献】
【特許文献】
【０００４】
【特許文献１】特開２００２−１２６１６２号公報
【発明の概要】
【発明が解決しようとする課題】
【０００５】
従来のスロットマシンでは、押しボタンユニットの前カバーに、押しボタンの前端側の外形に応じて例えば円、楕円等の開口部が形成されており、この開口部に、押しボタンの前端側が嵌合されているため、押しボタンの外形が、そのまま遊技者が操作する操作部の形状となっていた。
【０００６】
従って、機種変更に伴って押しボタンの操作部の形状を例えば円から楕円に変更しようとすると、押しボタンの外形を円から楕円に変更する他、それに合わせて前カバー、ボタンケース等、押しボタンユニットの主要構成部分の殆どの形状を変更しなければならないため、結局押しボタンユニット全体を取り替える必要があり、コスト高になる問題があった。
【０００７】
本発明は、このような従来の問題点に鑑み、押しボタンの操作部の形状変更を低コストで行うことができる遊技機を提供することを目的とする。
【課題を解決するための手段】
【０００８】
本発明は、押しボタン２７ａ〜２７ｃと、該押しボタン２７ａ〜２７ｃをその軸方向に移動可能に保持するボタンケース３３と、前記押しボタン２７ａ〜２７ｃを前記ボタンケース３３に対して軸方向前側に付勢する付勢手段３４とを有し、前記押しボタン２７ａ〜２７ｃの軸方向前面側を遊技機本体１の前側に露出させるように該遊技機本体１に装着される押しボタンユニット３１を備えた遊技機において、前記押しボタン２７ａ〜２７ｃの軸方向前側を略覆う前カバー３８を備え、該前カバー３８に、前記押しボタン２７ａ〜２７ｃの軸方向前面側の一部分に対応する所定形状の開口部７１ａ〜７１ｃを設けたものである。
【発明の効果】
【０００９】
本発明によれば、ストップボタン２７ａ〜２７ｃの操作部の形状を変更する場合には、最小限、前カバー３８の開口部７１ａ〜７１ｃの形状を変更すればよいため、コストを低く抑えることができる。
【図面の簡単な説明】
【００１０】
【図１】本発明の一実施形態に係るスロットマシンの全体正面図である。
【図２】本発明の一実施形態に係るスロットマシンの全体側面図である。
【図３】押しボタンユニットの前面パネルへの取付状態を示す斜視図である。
【図４】押しボタンユニットの分解斜視図である。
【図５】押しボタンユニットの分解斜視図である。
【図６】押しボタンユニットの分解平面断面図である。
【図７】押しボタンユニットの平面断面図である。
【図８】押しボタンユニットの分解側面断面図である。
【図９】押しボタンユニットの側面断面図である。
【図１０】操作部の形状変更の一例を示す押しボタンユニットの正面図である。
【図１１】操作部の形状変更の一例を示す押しボタンユニットの正面図である。
【図１２】操作部の形状変更の一例を示す押しボタンユニットの正面図である。
【発明を実施するための形態】
【００１１】
以下、本発明の実施形態を図面に基づいて詳述する。図１〜図１０は、本発明をスロットマシンとして具現化した一実施形態を例示している。図１及び図２において、１は遊技機本体で、本体ケース２と、この本体ケース２の前側に配置された矩形状の前面パネル３とを備えている。
【００１２】
本体ケース２は、例えば木製で、前側が開放した箱形に形成されており、その前側を開閉自在に閉鎖するように前面パネル３が装着されている。
【００１３】
本体ケース２内には、図２に示すように、複数の図柄表示リール４ａ〜４ｃを左右方向に配列した表示リールユニット５、メダル払い出し装置６、主制御基板が収容された主制御基板ケース７等が配置されている。
【００１４】
前面パネル３は、左右一端側、例えば向かって左側に配置されたヒンジを介して本体ケース２に対して開閉自在に装着されており、図１に示すように、その上部側には第１表示窓１１と第２表示窓１２とが上下に配置されている。
【００１５】
第１表示窓１１は、本体ケース２側の図柄表示リール４ａ〜４ｃに対応して矩形状に形成されており、遊技者はこの第１表示窓１１を介して図柄表示リール４ａ〜４ｃを前側から視認可能となっている。
【００１６】
また、第２表示窓１２は、前面パネル３の裏側に装着された液晶表示ユニット１３（図２）の表示画面１３ａに対応して例えば第１表示窓１１よりも大型の矩形状に形成されており、遊技者はこの第２表示窓１２を介して表示画面１３ａを前側から視認可能となっている。
【００１７】
前面パネル３の下端部前側には、メダル払い出し装置６から払い出されたメダルや返却されたメダルを前側に排出するための排出口１４が設けられ、その前側に、排出口１４から排出されたメダルを受けるメダル受け皿１５が横長状に配置されている。
【００１８】
また、例えば第２表示窓１２の下側に横長状に設けられた操作パネル部２１には、遊技媒体としてのメダルを投入可能なメダル投入口２２、このメダル投入口２２内に詰まったメダルを返却させるための返却ボタン２２ａの他、メダル投入口２２へのメダル投入に代えてクレジットからメダルをベットするための１ベットボタン２３、マックスベットボタン２４及びキャンセルボタン２５、図柄表示リール４ａ〜４ｃの回転を開始させるためのスタートレバー２６、回転中の図柄表示リール４ａ〜４ｃを夫々個別に停止させるためのストップボタン（押しボタン）２７ａ〜２７ｃ等が設けられている。
【００１９】
ストップボタン２７ａ〜２７ｃは、１つの押しボタンユニット３１上に設けられており、図３に示すように、この押しボタンユニット３１が、操作パネル部２１の前側に設けられた装着部３２に対して例えば前面パネル３の前側から着脱自在に装着されている。
【００２０】
押しボタンユニット３１は、図４〜図９に示すように、ストップボタン２７ａ〜２７ｃと、これらストップボタン２７ａ〜２７ｃをその軸方向（本実施形態では前後方向）に移動可能に保持するボタンケース３３と、このボタンケース３３内に収容され且つストップボタン２７ａ〜２７ｃをボタンケース３３に対して軸方向前側に付勢するコイルバネ（付勢手段）３４と、ボタンケース３３内に収容され且つ検出スイッチ３５ａ〜３５ｃ及びＬＥＤ３６ａ〜３６ｃが設けられたスイッチ基板３７と、ボタンケース３３の前側に装着される前カバー３８とを備えている。
【００２１】
ストップボタン２７ａ〜２７ｃは、夫々胴体部４１と、この胴体部４１の前側に着脱自在に装着されるキャップ部４２とを備えている。
【００２２】
胴体部４１は、前後方向に中心軸を有する例えば略円筒状の筒状部４３と、この筒状部４３の前縁側から筒状部４３の内側後方に向けて前開き状に延設された内壁部４４と、この内壁部４４の後端側を略閉鎖する後壁部４５とを一体に備えた断面略Ｍ型に形成されている。
【００２３】
筒状部４３には、その前縁側から所定距離後方の位置に鍔部４６が例えば全周にわたって設けられており、この鍔部４６よりも前側の部分がキャップ部４２の嵌合受け部４７となっている。
【００２４】
嵌合受け部４７上には、その外周上の複数箇所にキャップ部４２を着脱自在に係止するための突起部４７ａが設けられている。
【００２５】
また、筒状部４３上で且つ鍔部４６よりも後方には、その周方向の複数箇所、例えば左右各１箇所に、半径方向に弾性変形可能な係合爪４８が後ろ向きに形成されている。これら係合爪４８の先端側（後端側）には、爪部４８ａが外向きに形成されている。
【００２６】
後壁部４５には、例えばその略中央に、スイッチ基板３７側のＬＥＤ３６ａ〜３６ｃを挿通させるためのＬＥＤ挿通穴４９が形成されると共に、後ろ向きの突出片５０が一体に設けられている。なお、本実施形態では、突出片５０がＬＥＤ挿通穴４９の上下に各１個設けられており、それらのうちの一方、例えば上側の突出片５０が検出スイッチ３５ａ〜３５ｃをＯＮ／ＯＦＦするための検出片５０ａとなっている。
【００２７】
キャップ部４２は、光透過性を有する合成樹脂により形成されており、筒状部４３側の嵌合受け部４７の外側に嵌合する例えば円環状に形成された嵌合部５１と、この嵌合部５１の前側を塞ぐカバー部５２とを一体に備えている。
【００２８】
嵌合部５１には、嵌合受け部４７側の突起部４７ａに対応する係合穴５３が形成されており、キャップ部４２を胴体部４１の前側に装着すべくキャップ部４２側の嵌合部５１を胴体部４１側の嵌合受け部４７に嵌合させたとき、嵌合受け部４７側の突起部４７ａが嵌合部５１側の係合穴５３に係合して、その装着状態が保持されるようになっている。
【００２９】
カバー部５２には、その前面側の一部の領域が略一定厚で前側に膨出して正面視所定形状の突起部５４を形成している。本実施形態では、この突起部５４が正面視横長の楕円形に形成されている。
【００３０】
ボタンケース３３は、ケース本体６１と裏蓋６２とで構成されている。ケース本体６１は、ストップボタン２７ａ〜２７ｃに対応する開口部６１ａ〜６１ｃが左右方向一列状に配置された前壁部６３と、この前壁部６３の開口部６１ａ〜６１ｃの後側に設けられたボタン収容部６４ａ〜６４ｃと、それらボタン収容部６４ａ〜６４ｃを取り囲むように前壁部６３の後側に延設された周壁部６５とを一体に備えており、この周壁部６５の後端側を塞ぐように裏蓋６２が着脱自在に装着されている。
【００３１】
ボタン収容部６４ａ〜６４ｃは、コイルバネ３４を挟んでストップボタン２７ａ〜２７ｃを軸方向（前後方向）摺動自在に収容するもので、筒状部６６と後壁部６７とで有底円筒状に形成されている。
【００３２】
筒状部６６は、内側に収容されるストップボタン２７ａ〜２７ｃの胴体部４１及びキャップ部４２の外径に対応するように、胴体部４１に対応する後部側よりもキャップ部４２に対応する前部側の方が大径に形成され、その境界部分に段差部６６ａが形成されている。
【００３３】
また、筒状部６６の後端側から後壁部６７側に跨る部分には、ストップボタン２７ａ〜２７ｃ側の係合爪４８に対応する切欠部６８ａが形成され、また後壁部６７にはストップボタン２７ａ〜２７ｃ側の突出片５０及びスイッチ基板３７側のＬＥＤ３６ａ〜３６ｃが挿通される挿通穴６８ｂが形成されている。
【００３４】
コイルバネ３４と共にボタン収容部６４ａ〜６４ｃ内に前側から挿入されたストップボタン２７ａ〜２７ｃは、その係合爪４８が切欠部６８ａに係合することにより、コイルバネ３４の付勢力による軸方向前向きの移動が規制され、またコイルバネ３４の付勢力に抗して軸方向後ろ向きに押された場合には、ストップボタン２７ａ〜２７ｃ側の鍔部４６が段差部６６ａに前側から当接することによりその後方への移動が規制される。
【００３５】
また、周壁部６５の内面側には、例えば前後方向の突条部６９が複数設けられている。この突条部６９は、その後端側が、ケース本体６１内に後側から装着されるスイッチ基板３７の前面側に当接して、スイッチ基板３７の前側への移動を規制するようになっている。
【００３６】
なお、周壁部６５内には、例えば前壁部６３の背面側から後ろ向きに突設された取り付けボス７０が複数配置されており、スイッチ基板３７は、その後側に装着される裏蓋６２と共にこの取り付けボス７０に着脱自在に固定されている。
【００３７】
スイッチ基板３７には、その前側に検出スイッチ３５ａ〜３５ｃ及びＬＥＤ３６ａ〜３６ｃが設けられている。検出スイッチ３５ａ〜３５ｃは、ストップボタン２７ａ〜２７ｃが押されて軸方向後方へ移動したとき、後退してきた検出片５０ａ（図９に二点鎖線で示す）を検出可能に構成されている。
【００３８】
前カバー３８は、当該押しボタンユニット３１の化粧板として機能するもので、不透明な合成樹脂等により、ボタンケース３３側の形状に対応して例えば横長状に形成されており、ボタンケース３３の前面側を覆うように例えばボタンケース３３に対して着脱自在に固定されている。
【００３９】
前カバー３８には、ストップボタン２７ａ〜２７ｃに対応して開口部７１ａ〜７１ｃが形成されている。この開口部７１ａ〜７１ｃは、夫々ストップボタン２７ａ〜２７ｃ側の突起部５４の形状に対応して例えば正面視横長の楕円形に形成されており、それら各突起部５４が後側から嵌合している。
【００４０】
このように、ストップボタン２７ａ〜２７ｃの軸方向前面側のうち、突起部５４以外の部分は前カバー３８により覆われているため、ストップボタン２７ａ〜２７ｃの軸方向前面側のうち、開口部７１ａ〜７１ｃに嵌合した突起部５４のみが前面パネル３の前側に露出して、遊技者が押圧操作可能な操作部を形成している。即ち、ストップボタン２７ａ〜２７ｃの全体形状は正面視略円形であるにも拘わらず、遊技者が操作する操作部の形状は横長の楕円形となる。
【００４１】
なお、突起部５４は、通常状態（押圧操作されていない状態）では前カバー３８よりも前側に突出しており、押圧操作されたときに、図９に二点鎖線で示すように前カバー３８の前面側と略面一になるように構成されている。
【００４２】
また、前カバー３８には、その裏側に、ボタンケース３３への固定用の取り付けボス７２の他、前面パネル３側の装着部３２への固定用の取り付けボス７３が設けられており、押しボタンユニット３１は、この前カバー３８を固定ネジ７３ａ等により装着部３２に固定することにより前面パネル３側に装着されている。
【００４３】
以上説明したスロットマシンにおいて、例えば機種変更により、ストップボタン２７ａ〜２７ｃの操作部の形状を横長楕円形から縦長楕円形（図１０）に変更する場合には、前カバー３８の開口部７１ａ〜７１ｃの形状を横長楕円形から縦長楕円形に変更すると共に、ストップボタン２７ａ〜２７ｃ側の突起部５４をその開口部７１ａ〜７１ｃに合わせて縦長楕円形に変更すればよい。
【００４４】
即ち、本実施形態では、ストップボタン２７ａ〜２７ｃは、ボタンケース３３内に軸方向摺動自在に収容される胴体部４１と、この胴体部４１の前側に着脱自在に装着されるキャップ部４２とを備え、このキャップ部４２に突起部５４を設けており、しかも前カバー３８を遊技機本体１及びボタンケース３３と別体に形成しているため、ストップボタン２７ａ〜２７ｃの操作部の形状を変更するためには、前カバー３８とストップボタン２７ａ〜２７ｃのキャップ部４２のみを交換するだけでよく、ストップボタン２７ａ〜２７ｃの胴体部４１、ボタンケース３３等はそのまま使用でき、コストを低く抑えることができる。
【００４５】
以上、本発明の実施形態について詳述したが、本発明はこれらの実施形態に限定されるものではなく、本発明の趣旨を逸脱しない範囲で種々の変更が可能である。例えば、ストップボタン２７ａ〜２７ｃの操作部の形状は楕円形に限らず、図１１に示す八角形等の多角形や、図１２に示す星形など、どのような形状にも対応できる。ストップボタン２７ａ〜２７ｃの外形が、そのまま操作部の形状となっていた従来の遊技機では、複雑な形状には対応することが難しかったが、本発明の場合には、前カバー３８の開口部７１ａ〜７１ｃの形状と、それに対応するストップボタン２７ａ〜２７ｃ側の突起部５４の形状を変更するだけであるため、複雑な形状であっても容易に対応可能である。
【００４６】
本実施形態では、ストップボタン２７ａ〜２７ｃ側に突起部５４を設け、これを前カバー３８側の開口部７１ａ〜７１ｃに後側から嵌合させるように構成したが、例えばストップボタン２７ａ〜２７ｃ側には突起部５４を設けず、前カバー３８側の開口部７１ａ〜７１ｃの形状のみを所定形状（例えば楕円）としても、遊技者側から見た操作部の形状は所定形状（楕円）とすることができる。この場合、操作部の形状を変更する場合には前カバー３８のみを交換すればよいという利点はあるが、操作部が前カバー３８の前面側よりも奥にくるため、操作性や見映えが悪いという欠点がある。
【００４７】
筒状部６６、胴体部４１及び嵌合部５１の形状は円形に限らず、ボタンとしての機能を果たせる形状であれば、四角形等どのような形状でもよい。
【００４８】
本実施形態では、軸を前後に向けたストップボタン２７ａ〜２７ｃを例に挙げて説明したが、押しボタンであれば、１ベットボタン２３、マックスベットボタン２４等、どのようなボタンにも対応可能である。
【００４９】
実施形態では、前カバー３８も押しボタンユニット３１の構成部品としたが、前カバー３８を押しボタンユニット３１から切り離し、例えば前カバー３８を前面パネル３の前側から、押しボタンユニット３１を前面パネル３の後側から装着するような構成としてもよい。もちろん、押しボタンユニット３１と前カバー３８の前面パネル３への取付構造は任意である。
【００５０】
なお、実施形態ではスロットマシンを例に挙げて説明したが、押しボタンを搭載した遊技機であれば、パチンコ機等の弾球遊技機を始めその他の各種遊技機にも適用可能であることはいうまでもない。
【符号の説明】
【００５１】
１  遊技機本体
２７ａ〜２７ｃ  ストップボタン
３１  押しボタンユニット
３３  ボタンケース
３４  コイルバネ（付勢手段）
３８  前カバー
４１  胴体部
４２  キャップ部
５４  突起部
７１ａ〜７１ｃ  開口部
【図１】
2010104836.tif 000003
【図２】
2010104836.tif 000004
【図３】
2010104836.tif 000005
【図４】
2010104836.tif 000006
【図５】
2010104836.tif 000007
【図６】
2010104836.tif 000008
【図７】
2010104836.tif 000009
【図８】
2010104836.tif 000010
【図９】
2010104836.tif 000011
【図１０】
2010104836.tif 000012
【図１１】
2010104836.tif 000013
【図１２】
2010104836.tif 000014
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
押しボタン（２７ａ）〜（２７ｃ）と、該押しボタン（２７ａ）〜（２７ｃ）をその軸方向の一定範囲内で移動可能な状態に保持するボタンケース（３３）と、前記押しボタン（２７ａ）〜（２７ｃ）を前記ボタンケース（３３）に対して軸方向前側に付勢する付勢手段（３４）とを有し、前記押しボタン（２７ａ）〜（２７ｃ）の軸方向前面側を遊技機本体（１）の前側に露出させるように該遊技機本体（１）に装着される押しボタンユニット（３１）を備えた遊技機において、前記ボタンケース（３３）の前面側を覆う前カバー（３８）を備え、前記押しボタン（２７ａ）〜（２７ｃ）は、前記ボタンケース（３３）内に収容される胴体部（４１）と、この胴体部（４１）の前側に着脱自在に装着されるキャップ部（４２）とを備え、その前端側を前記ボタンケース（３３）の前壁部（６３）に形成された開口部（６１ａ）〜（６１ｃ）から前側に露出させた状態で、前記ボタンケース（３３）上で且つ前記開口部（６１ａ）〜（６１ｃ）の後側に設けられたボタン収容部（６４ａ）〜（６４ｃ）内に軸方向摺動自在に収容されると共に、前記キャップ部（４２）には、その前面側の一部の領域にのみ設けられ且つ正面視所定形状で前側に膨出する突起部（５４）が形成されており、前記前カバー（３８）には前記突起部（５４）の形状に対応する開口部（７１ａ）〜（７１ｃ）が形成されており、前記突起部（５４）を前記前カバー（３８）の前記開口部（７１ａ）〜（７１ｃ）に後側から嵌合させたことを特徴とする遊技機。
【請求項２】
前記前カバー（３８）を前記遊技機本体（１）及び前記ボタンケース（３３）と別体に形成したことを特徴とする請求項１に記載の遊技機。
【請求項３】
前記前カバー（３８）の裏側に、前記ボタンケース（３３）及び前記遊技機本体（１）への固定用の取り付けボス（７２）（７３）を設けたことを特徴とする請求項２に記載の遊技機。
【手続補正２】
【補正対象書類名】明細書
【補正対象項目名】０００８
【補正方法】変更
【補正の内容】
【０００８】
本発明は、押しボタン２７ａ〜２７ｃと、該押しボタン２７ａ〜２７ｃをその軸方向の一定範囲内で移動可能な状態に保持するボタンケース３３と、前記押しボタン２７ａ〜２７ｃを前記ボタンケース３３に対して軸方向前側に付勢する付勢手段３４とを有し、前記押しボタン２７ａ〜２７ｃの軸方向前面側を遊技機本体１の前側に露出させるように該遊技機本体１に装着される押しボタンユニット３１を備えた遊技機において、前記ボタンケース３３の前面側を覆う前カバー３８を備え、前記押しボタン２７ａ〜２７ｃは、前記ボタンケース３３内に収容される胴体部４１と、この胴体部４１の前側に着脱自在に装着されるキャップ部４２とを備え、その前端側を前記ボタンケース３３の前壁部６３に形成された開口部６１ａ〜６１ｃから前側に露出させた状態で、前記ボタンケース３３上で且つ前記開口部６１ａ〜６１ｃの後側に設けられたボタン収容部６４ａ〜６４ｃ内に軸方向摺動自在に収容されると共に、前記キャップ部４２には、その前面側の一部の領域にのみ設けられ且つ正面視所定形状で前側に膨出する突起部５４が形成されており、前記前カバー３８には前記突起部５４の形状に対応する開口部７１ａ〜７１ｃが形成されており、前記突起部５４を前記前カバー３８の前記開口部７１ａ〜７１ｃに後側から嵌合させたものである。